(57)【要約】【課題】移動局装置が通信を行っている基地局装置から周辺の基地局装置にハンドオーバを行った場合に、通信状態が悪い中で通信を行うことを防ぐことができる移動通信システム、基地局装置、移動局装置及び移動通信方法を提供する。【解決手段】基地局装置は、周辺の基地局装置の通信状態を取得する通信状態取得部と、受信品質指標の閾値を通信状態に関連付けて予め記憶する閾値記憶部と、通信状態取得部が取得した通信状態に対応する受信品質指標の閾値を閾値記憶部から読み出す閾値設定部と、移動局装置より通知された受信品質指標と受信品質指標の閾値とに基づいて、測定モードとするか通常モードとするか決定する基地局装置ギャップモード決定部と、測定モードと決定した場合に、受信品質指標に基づいて、移動局装置に対してギャップを生成する基地局装置ギャップ生成部と、ギャップを生成した旨を移動局装置に通知する基地局装置ギャップ通知部とを備える。【選択図】図６
2008205566.tif 000002
【特許請求の範囲】
【請求項１】
移動局装置と前記移動局装置と無線通信を行う基地局装置とを備える移動通信システムにおいて、
前記移動局装置は、
前記基地局装置から送信される信号の受信品質を測定する受信品質測定部と、
前記受信品質に基づいて、受信品質指標を前記基地局装置に通知する受信品質指標通知部とを備え、
前記基地局装置は、
周辺の基地局装置の通信状態を取得する通信状態取得部と、
前記受信品質指標の閾値を前記通信状態に関連付けて予め記憶する閾値記憶部と、
前記通信状態取得部が取得した通信状態に対応する受信品質指標の閾値を前記閾値記憶部から読み出す閾値設定部と、
前記受信品質指標通知部より通知された受信品質指標と前記閾値設定部が読み出した受信品質指標の閾値とに基づいて、信号の送受信を停止する区間であるギャップを生成するかを判定する測定モードとするか前記ギャップを生成するかを判定しない通常モードとするかについて決定する基地局装置ギャップモード決定部と、
前記基地局装置ギャップモード決定部が測定モードと決定した場合に、前記受信品質指標に基づいて、前記移動局装置に対してギャップを生成する基地局装置ギャップ生成部と、
を備えることを特徴とする移動通信システム。
【請求項２】
前記基地局装置は、前記基地局装置ギャップ生成部がギャップを生成した旨を前記移動局装置に通知する基地局装置ギャップ通知部を備え、
前記移動局装置は、前記基地局装置ギャップ通知部からギャップを生成した旨を通知された場合にギャップを生成する移動局装置ギャップ生成部と、
前記移動局装置ギャップ生成部がギャップを生成している区間に前記基地局装置の周辺の基地局装置の受信品質を測定する測定部とを備えることを特徴とする請求項１に記載の移動通信システム。
【請求項３】
前記基地局装置は、前記移動局装置より通知された受信品質指標の平均値を算出する受信品質指標平均値算出部を備え、
前記閾値記憶部は、前記通信状態が悪いほど小さい受信品質指標の閾値を予め記憶し、
前記基地局装置ギャップモード決定部は、前記受信品質指標平均値算出部が算出した平均値が前記閾値設定部が読み出した受信品質指標の閾値より大きい場合には通常モードと決定し、小さい場合には測定モードと決定することを特徴とする請求項１又は２に記載の移動通信システム。
【請求項４】
前記通信状態取得部は、通信状態として、前記周辺の基地局装置のトラフィック負荷を取得し、
前記閾値記憶部は、前記トラフィック負荷が大きいほど小さい受信品質指標の閾値を予め記憶することを特徴とする請求項1から３までのいずれかの項に記載の移動通信システム。
【請求項５】
前記通信状態取得部は、通信状態として、前記周辺の基地局装置が通信可能な領域内に存在する移動局装置数を取得し、
前記閾値記憶部は、前記移動局装置数が多いほど小さい受信品質指標の閾値を予め記憶することを特徴とする請求項1から３までのいずれかの項に記載の移動通信システム。
【請求項６】
移動局装置と前記移動局装置と無線通信を行う基地局装置とを備える移動通信システムにおいて、
前記基地局装置は、
周辺の基地局装置の通信状態を取得する通信状態取得部と、
前記移動局装置の受信品質の閾値を前記通信状態に関連付けて予め記憶する閾値記憶部と、
前記通信状態取得部が取得した通信状態に対応する受信品質の閾値を前記閾値記憶部から読み出す閾値設定部と、
前記閾値設定部が読み出した受信品質の閾値を前記移動局装置に通知する閾値通知部と、
ギャップを生成した旨を前記移動局装置に通知する基地局装置ギャップ通知部を備え、
前記移動局装置は、
前記基地局装置から送信される信号の受信品質を測定する受信品質測定部と、
前記受信品質測定部が測定した受信品質と前記閾値通知部より通知された受信品質の閾値とに基づいて、信号の送受信を停止する区間であるギャップ生成を要求するかを判定する測定モードとするか前記ギャップ生成を要求するかを判定しない通常モードとするかについて決定する移動局装置ギャップモード決定部と、
前記移動局装置ギャップモード決定部が測定モードと決定した場合に、前記受信品質に基づいて、ギャップ生成要求情報を生成する移動局装置ギャップ要求部と、
前記基地局装置よりギャップを通知された場合に、ギャップを生成する移動局装置ギャップ生成部と、
前記移動局装置ギャップ生成部がギャップを生成している区間に前記基地局装置の周辺の基地局装置の受信品質を測定する測定部とを備えることを特徴とする移動通信システム。
【請求項７】
前記移動局装置は、前記受信品質測定部が測定した受信品質の平均値を算出する受信品質平均値算出部を備え、
前記閾値記憶部は、前記通信状態が悪いほど小さい受信品質の閾値を予め記憶し、
前記移動局装置ギャップモード決定部は、前記受信品質平均値算出部が算出した平均値が前記閾値設定部が読み出した受信品質の閾値より大きい場合には通常モードと決定し、小さい場合には測定モードと決定することを特徴とする請求項６に記載の移動通信システム。
【請求項８】
前記通信状態取得部は、通信状態として、前記周辺の基地局装置のトラフィック負荷を取得し、
前記閾値記憶部は、前記トラフィック負荷が大きいほど小さい受信品質の閾値を予め記憶することを特徴とする請求項６又は７に記載の移動通信システム。
【請求項９】
前記通信状態取得部は、通信状態として、前記周辺の基地局装置が通信可能な領域内に存在する移動局装置数を取得し、
前記閾値記憶部は、前記移動局装置数が多いほど小さい受信品質の閾値を予め記憶することを特徴とする請求項６又は７に記載の移動通信システム。
【請求項１０】
前記移動局装置は、前記基地局装置に対してギャップ生成要求情報を通知するギャップ生成要求通知部を備え、
前記基地局装置ギャップ生成部は、前記ギャップ生成要求通知部から受信したギャップの生成要求を受け付けた場合に、前記移動局装置にギャップを通知し、前記移動局装置にギャップを生成することを特徴とする請求項６から９までのいずれかの項に記載の移動通信システム。
【請求項１１】
移動局装置と通信する基地局装置において、
周辺の基地局装置の通信状態を取得する通信状態取得部と、
受信品質指標の閾値を前記通信状態に関連付けて予め記憶する閾値記憶部と、
前記通信状態取得部が取得した通信状態に対応する受信品質指標の閾値を前記閾値記憶部から読み出す閾値設定部と、
前記移動局装置より通知された受信品質指標と前記閾値設定部が読み出した受信品質指標の閾値とに基づいて、信号の送受信を停止する区間であるギャップを生成するかを判定する測定モードとするか前記ギャップを生成するかを判定しない通常モードとするかについて決定する基地局装置ギャップモード決定部と、
前記基地局装置ギャップモード決定部が測定モードと決定した場合に、前記受信品質指標に基づいて、前記移動局装置に対してギャップを生成する基地局装置ギャップ生成部と、
ギャップを生成した旨を前記移動局装置に通知する基地局装置ギャップ通知部と、
を備えることを特徴とする基地局装置。
【請求項１２】
基地局装置と通信する移動局装置において、
前記基地局装置から送信される信号の受信品質を測定する受信品質測定部と、
前記受信品質測定部が測定した受信品質と前記基地局装置より通知された受信品質の閾値とに基づいて、信号の送受信を停止する区間であるギャップ生成を要求するかを判定する測定モードとするか前記ギャップ生成を要求するかを判定しない通常モードとするかについて決定する移動局装置ギャップモード決定部と、
前記移動局装置ギャップモード決定部が測定モードと決定した場合に、前記受信品質に基づいて、ギャップ生成要求情報を生成する移動局装置ギャップ要求部と、
前記基地局装置に対してギャップ生成要求情報を通知するギャップ生成要求通知部と、
前記基地局装置よりギャップを通知された場合に、ギャップを生成する移動局装置ギャップ生成部と、
前記移動局装置ギャップ生成部がギャップを生成している区間に前記基地局装置の周辺の基地局装置の受信品質を測定する測定部とを備えることを特徴とする移動局装置。
【請求項１３】
移動局装置と通信する基地局装置において、
周辺の基地局装置の通信状態を取得する通信状態取得部と、
前記移動局装置がギャップ生成の要求を判定するかしないかに用いる受信品質の閾値を前記通信状態に関連付けて予め記憶する閾値記憶部と、
前記通信状態取得部が取得した通信状態に対応する受信品質の閾値を前記閾値記憶部から読み出す閾値設定部と、
前記閾値設定部が読み出した受信品質の閾値を前記移動局装置に通知する閾値通知部と、
ギャップを生成した旨を前記移動局装置に通知する基地局装置ギャップ通知部と、
を備えることを特徴とする基地局装置。
【請求項１４】
移動局装置と前記移動局装置と無線通信を行う基地局装置とを用いた移動通信方法において、
前記基地局装置から送信される信号の受信品質を前記移動局装置が測定する受信品質測定過程と、
前記受信品質に基づいて、受信品質指標を前記移動局装置が前記基地局装置に通知する受信品質指標通知過程と、
周辺の基地局装置の通信状態を前記基地局装置が取得する通信状態取得過程と、
受信品質指標の閾値を前記基地局装置が前記通信状態に関連付けて予め記憶する閾値記憶過程と、
前記通信状態取得過程で取得した通信状態に対応する受信品質指標の閾値を前記閾値記憶過程で記憶した情報に基づいて基地局装置が読み出す閾値設定過程と、
前記受信品質指標測定過程で測定した受信品質指標と前記閾値設定過程で読み出した受信品質指標の閾値とに基づいて、信号の送受信を停止する区間であるギャップを生成するかを判定する測定モードとするか前記ギャップを生成するかを判定しない通常モードとするかについて基地局装置が決定する基地局装置ギャップモード決定過程と、
前記基地局装置モード決定過程で測定モードと決定した場合に、前記受信品質指標に基づいて、前記移動局装置に対して基地局装置がギャップを生成する基地局装置ギャップ生成過程と、
前記基地局装置がギャップを生成した旨を前記移動局装置に通知する基地局装置ギャップ通知過程と、
を実行することを特徴とする移動通信方法。
【請求項１５】
移動局装置と前記移動局装置と無線通信を行う基地局装置とを用いた移動通信方法において、
周辺の基地局装置の通信状態を前記基地局装置が取得する通信状態取得過程と、
前記移動局装置がギャップ生成の要求を判定するかしないかに用いる受信品質の閾値を前記基地局装置が前記通信状態に関連付けて予め記憶する閾値記憶過程と、
前記通信状態取得過程で取得した通信状態に対応する受信品質の閾値を前記閾値記憶過程で記憶した情報に基づいて前記基地局装置が読み出す閾値設定過程と、
前記閾値設定過程が読み出した受信品質の閾値を前記基地局装置が前記移動局装置に通知する閾値通知過程と、
前記基地局装置から送信される信号の受信品質を前記移動局装置が測定する受信品質測定過程と、
前記受信品質測定過程で測定した受信品質と前記閾値通知過程で通知された受信品質の閾値とに基づいて、信号の送受信を停止する区間であるギャップ生成を要求するかを判定する測定モードとするか前記ギャップ生成を要求するかを判定しない通常モードとするかについて前記移動局装置が決定する移動局装置ギャップモード決定過程と、
前記移動局装置ギャップモード決定過程で測定モードと決定した場合に、前記受信品質に基づいて、ギャップ生成要求情報を前記移動局装置が生成する移動局装置ギャップ要求過程と、
前記基地局装置に対してギャップ生成要求情報を前記移動局装置が通知するギャップ生成要求通知過程と、
前記基地局装置がギャップを生成した旨を前記移動局装置に通知する基地局装置ギャップ通知過程と、
前記基地局装置よりギャップを通知された場合に、ギャップを前記移動局装置が生成する移動局装置ギャップ生成過程と、
前記移動局装置ギャップ生成過程でギャップを生成している区間に前記基地局装置の周辺の基地局装置の受信品質を測定する測定過程と、
を実行することを特徴とする移動通信方法。
【発明の詳細な説明】
【技術分野】
【０００１】
本発明は、移動通信システム、移動局装置、基地局装置及び移動通信方法に関する。
【背景技術】
【０００２】
同一の無線アクセス技術であるＲＡＴ（Radio Access Technology）のセルラ移動通信システムでは、サービスエリアに多数の基地局装置を分散配置して、これらの基地局装置によりセルと呼ばれる無線エリアをそれぞれ形成し、移動局装置を当該移動局装置が存在するセルの基地局装置に無線チャネルを介して接続することにより、他の移動局装置等との無線通信を可能にしている。また、移動局装置が通信中に他のセルへ移動した場合には、ハンドオーバ（ＨＯ：Hand Over）を行うことにより異なるセルに亘って通信を継続できるようにしている。
【０００３】
ハンドオーバには、同一の無線周波数が割り当てられたセル間を移動局装置が移動する際に行われる同一周波数間のハンドオーバであるＩｎｔｒａ−Ｆｒｅｑ−ＨＯ（Intra-Frequency-Handover）と、異なる無線周波数が割り当てられたセル間を移動局装置が移動する際に行われる異なる周波数間のハンドオーバであるＩｎｔｅｒ−Ｆｒｅｑ−ＨＯ（Inter-Frequency-Handover）がある。
【０００４】
また、異なる無線アクセス技術により構成されているセルラ移動通信システムでは、異なる無線アクセス技術を使用するセル間を移動局装置が移動する際に行われる異なる無線アクセス技術間のハンドオーバであるＩｎｔｅｒ‐ＲＡＴ‐ＨＯ（Inter-RAT-Handover）がある。これと対照に同一の無線アクセス技術のセル間のハンドオーバであるＩｎｔｒａ−ＲＡＴ−ＨＯ（Intra-RAT-Handover）がある。
【０００５】
図１２は、移動局装置がセル間を移動する際のハンドオーバの処理について一般的に説明するための図である。二次元平面上に、基地局装置ＢＳ１、ＢＳ２、ＢＳ３、ＢＳ４が、それぞれ設置されている。基地局装置ＢＳ１、ＢＳ２、ＢＳ３、ＢＳ４は、それぞれ周波数ｆ１、ｆ２、ｆ１、ｆ３を使用して、移動局装置との間で無線通信を行う。また、基地局装置ＢＳ１、ＢＳ２、ＢＳ３、ＢＳ４は、それぞれ無線アクセス技術ＲＡＴ１、ＲＡＴ１、ＲＡＴ１、ＲＡＴ２を利用して、移動局装置との間で無線通信を行う。
基地局装置ＢＳ１、ＢＳ２、ＢＳ３、ＢＳ４は、無線通信可能な範囲であるセルｃ１、ｃ２、ｃ３、ｃ４内に位置する移動局装置ＭＳ１、ＭＳ２、ＭＳ４、ＭＳ６、移動局装置ＭＳ４、ＭＳ５、移動局装置ＭＳ２、ＭＳ３、移動局装置ＭＳ６、ＭＳ７との間でそれぞれ無線通信を行うことができる。
【０００６】
セルｃ１とセルｃ２との間を移動している移動局装置ＭＳ４は、Ｉｎｔｒａ−ＲＡＴ−ＨＯ（かつ、Ｉｎｔｅｒ−Ｆｒｅｑ−ＨＯ）によるハンドオーバを行う。また、セルｃ１とセルｃ３との間を移動している移動局装置ＭＳ２は、Ｉｎｔｒａ−ＲＡＴ−ＨＯ（かつ、Ｉｎｔｒａ−Ｆｒｅｑ−ＨＯ）によるハンドオーバを行う。また、セルｃ１とセルｃ４との間を移動している移動局装置ＭＳ６は、Ｉｎｔｅｒ−ＲＡＴ−ＨＯ（かつ、Ｉｎｔｅｒ−Ｆｒｅｑ−ＨＯ）によるハンドオーバを行う。
【０００７】
従来、例えば３ＧＰＰ（3rd Generation Partnership Project）で規定されているＷ−ＣＤＭＡ（Wideband-Code Division Multiple Access）の無線アクセス技術が第三世代セルラ移動通信方式として標準化され、順次サービスが開始されている（非特許文献１参照）。Ｗ−ＣＤＭＡ方式では、Ｉｎｔｒａ−ＲＡＴ−ＨＯ（かつ、Ｉｎｔｅｒ−Ｆｒｅｑ−ＨＯ）や、Ｉｎｔｅｒ−ＲＡＴ−ＨＯ（かつ、Ｉｎｔｅｒ−Ｆｒｅｑ−ＨＯ）を行う際に異なる周波数を使用する基地局装置の測定を行うための機能としてコンプレストモード（Compressed Mode）が規定されている。
【０００８】
図１３（ａ）は、Ｗ−ＣＤＭＡにてコンプレストモードが適用されて、異周波数を使用する基地局装置の測定が行われている場合の信号の状態について説明するための図である。一例として、フレーム長は１０ｍｓである。
基地局装置は、図１３（ａ）のような伝送中断時間であるギャップ（Gap）区間を設定して、当該ギャップ区間でデータの送信を停止する。一方、移動局装置は、このギャップ区間内の時間を利用して周波数を切り替えて異周波数を使用する基地局装置の送信信号の受信電力等の測定を行う。
また、３ＧＰＰでは、Ｗ−ＣＤＭＡ無線インタフェースを拡張した最大伝送速度１４．４Ｍｂｐｓ程度の高速パケット伝送を下りリンク（Downlink）において実現するＨＳＤＰＡ（High Speed Downlink Packet Access）が標準化されている（非特許文献２参照）。
【０００９】
図１３（ｂ）、図１３（ｃ）は、基地局装置から移動局装置に送信されるパケット信号の一例を示す図であり、横軸は時間軸を示す。図１３（ｂ）は、基地局装置から移動局装置に送信される制御チャネルの一例を示す図である。また、図１３（ｃ）は、基地局装置から移動局装置に送信されるデータチャネルの一例を示す図である。一例として、サブフレーム長は２ｍｓである。
ＨＳＤＰＡにおいても、移動局装置側では、異周波数を使用する基地局装置の測定が行われる場合には、今まで通信を行ってきた基地局装置との間で信号の伝送ができなくなるため、ギャップ区間に相当するデータチャネルの区間に自移動局装置宛てのパケットデータの割り当てが行われない。基地局装置側では、ギャップが生成されるのに先立ち、制御チャネルを用いてデータチャネルのデータの割り当ての停止を移動局装置側へ指示する。この指示を受けた移動局装置は、ギャップを生成し、異周波数を使用する基地局装置の測定を行う。
すなわち、図１３（ａ）では、ある移動局装置宛ての連続データに対して、データの圧縮などによりギャップを生成し、図１３（ｂ）、図１３（ｃ）では、前記移動局装置宛てのパケット制御信号及びパケットデータをギャップ区間に割り当てないことによりギャップを生成する。なお、図１３（ｂ）、図１３（ｃ）において、斜線を付したブロックは、制御信号又はパケットデータが割り当てられているサブフレームを示している。
【００１０】
なお、Ｗ‐ＣＤＭＡ、ＨＳＤＰＡの無線インタフェースを用いた移動通信システムは、一般にＵＴＲＡ（Universal Terrestrial Radio Access）と呼ばれる。
さらに、第三世代無線アクセス技術の進化（ＥＵＴＲＡ：Evolved Universal Terrestrial Radio Access）及び第三世代無線アクセス技術のアクセスネットワークの進化（ＥＵＴＲＡＮ：Evolved Universal Terrestrial Radio Access Network）が検討されている。ＥＵＴＲＡの下りリンクとして、ＯＦＤＭＡ（Orthogonal Frequency Division Multiplexing Access）方式が提案されている。ＥＵＴＲＡ技術として、ＯＦＤＭＡ方式にＡＭＣＳ（Adaptive Modulation and Coding Scheme：適応変復調・誤り訂正）技術が適用されている（非特許文献３、非特許文献４参照）。ここで、ＡＭＣＳとは、高速パケットデータ伝送を効率的に行うために、各移動局装置の伝播路状況を示した下り受信品質指標ＣＱＩ（Channel Quality Indication）に応じて、データチャネルの変調多値数、誤り訂正方式、誤り訂正の符号化率などの無線伝送パラメータを切り替える方式である。
【００１１】
ＥＵＴＲＡ／ＥＵＴＲＡＮのＩｎｔｒａ−ＲＡＴ−ＨＯ（かつ、Ｉｎｔｒａ−Ｆｒｅｑ−ＨＯ）や、Ｉｎｔｅｒ−ＲＡＴ−ＨＯ（かつ、Ｉｎｔｅｒ−Ｆｒｅｑ−ＨＯ）を行う際に、異なる周波数を使用する基地局装置の測定のギャップ区間の制御方法として、ＨＳＤＰＡと同様に基地局装置及び移動局装置のシグナリング制御によるギャップ区間の制御方法と、移動局のＣＱＩ瞬時値（Instantaneous CQI Value：下りチャネル伝搬路品質情報）の測定及び基地局装置へのフィードバックによる自立的なギャップ区間の制御方法（Autonomous Gap Control Method）が提案されている（非特許文献５参照）。
【００１２】
図１４（ａ）及び図１４（ｂ）は、従来から提案されていたギャップの制御方法の一例を説明するための図であって、横軸は時間を示し、縦軸はパイロットチャネルの受信電力（または、ＳＮＲ（Signal to Noise Ratio））であるＣＱＩの値を示す（なお、実際には受信電力、またはＳＮＲの値が量子化されたものがＣＱＩである）。移動局装置はパイロットチャネルを受信し、一定の間隔であるＣＱＩ測定間隔でＣＱＩ瞬時値を測定し、基地局装置に報告する。同時に移動局装置は一定の周期でＣＱＩ瞬時値を平均化し、ＣＱＩ平均値（Mean CQI）を算出する。移動局装置は、測定したＣＱＩ平均値を、システムパラメータのＣＱＩ閾値と比較する。そして、ＣＱＩ閾値以下である場合、異なる周波数基地局装置の測定のための測定モード（Measurement Mode）に設定する。図１４（ａ）において、ＣＱＩ瞬時値、ＣＱＩ平均値、ＣＱＩ閾値を示すとともに、この例では、通常モードから測定モードに入り、再度、通常モードに移行している。
【００１３】
移動局装置では、測定モードにおいて、測定したＣＱＩ瞬時値がＣＱＩ平均値以下である場合、接続している基地局装置が使用している周波数での該基地局装置からの受信を停止し、ギャップを生成する。一方、基地局装置では、ＣＱＩ瞬時値の報告を受け、移動局装置と同様に該当移動局装置のＣＱＩ平均値を算出する。算出したＣＱＩ平均値は、システムパラメータのＣＱＩ閾値と比較される。そして、ＣＱＩ平均値がＣＱＩ閾値より大きい場合には、通常モードに設定し、ＣＱＩ閾値以下である場合には、異なる周波数を使用する基地局装置の測定のための測定モードに設定する。測定モードにおいて、測定したＣＱＩ瞬時値がＣＱＩ平均値以下である場合、接続している該当移動局装置宛てのパケットデータの送信を停止し、ギャップを生成する。図１４（ａ）に示したように、移動局装置は、異なる周波数あるいは基地局装置の測定が完了した後に、ギャップの生成を終了し、ＣＱＩ瞬時値の測定及び基地局装置へのＣＱＩ瞬時値の報告を再開する。その後も、同様な処理を繰り返す。図１４（ｂ）は、複数のギャップｇ１〜ｇ６が連続して生成される様子を示している。
【非特許文献１】立川  敬二、"W-CDMA移動通信方式"、ISBN4-621-04894-5
【非特許文献２】3GPP TR(Technical Report)25.858、及び3GPPのHSDPA仕様関連資料(http://www.3gpp.org/ftp/Specs/html-info/25-series.htm)
【非特許文献３】3GPP TR(Technical Report)25.913,V7.3.0(2006-03),Requirements for evolved Universal Terrestrial Radio Access(UTRA)and Universal Terrestrial Radio Access Network(UTRAN).（http://www.3gpp.org/ftp/Specs/html-info/25913.htm)
【非特許文献４】3GPP TR(Technical Report)25.814,V7.1.0(2006-10),Physical Layer Aspects for Evolved UTRA.(http://www.3gpp.org/ftp/Specs/html-info/25814.htm)
【非特許文献５】NTT DoCoMo,Inc."Measurement for LTE Intra‐and Inter-RAT Mobility",3GPP TSG RAN WG2 Meeting #50,Sophia Antipolis,France,9-13 January,2006
【発明の開示】
【発明が解決しようとする課題】
【００１４】
しかしながら、移動局装置が通信を行っている基地局装置の周辺の基地局装置の通信状態が悪い場合には、移動局装置が周辺の基地局装置にハンドオーバを行うと、通信状態が悪い中で通信を行うことになるという問題がある。
【００１５】
本発明は、上記事情に鑑みてなされたものであり、その目的は、移動局装置が通信を行っている基地局装置から周辺の基地局装置にハンドオーバを行った場合に、通信状態が悪い中で通信を行うことを防ぐことができる移動通信システム、基地局装置、移動局装置及び移動通信方法を提供することにある。
また、本発明の目的は、ハンドオーバに関わる基地局装置と移動局装置との間での無線リソースの無駄をなくし、基地局装置の負荷を減少させる移動通信システム、基地局装置、移動局装置及び移動通信方法を提供することにある。
【課題を解決するための手段】
【００１６】
本発明の移動通信システムは、上記課題を解決するためになされたもので、移動局装置と前記移動局装置と無線通信を行う基地局装置とを備える移動通信システムにおいて、前記移動局装置は、前記基地局装置から送信される信号の受信品質を測定する受信品質測定部と、前記受信品質に基づいて、受信品質指標を前記基地局装置に通知する受信品質指標通知部とを備え、前記基地局装置は、周辺の基地局装置の通信状態を取得する通信状態取得部と、前記受信品質指標の閾値を前記通信状態に関連付けて予め記憶する閾値記憶部と、前記通信状態取得部が取得した通信状態に対応する受信品質指標の閾値を前記閾値記憶部から読み出す閾値設定部と、前記受信品質指標通知部より通知された受信品質指標と前記閾値設定部が読み出した受信品質指標の閾値とに基づいて、信号の送受信を停止する区間であるギャップを生成するかを判定する測定モードとするか前記ギャップを生成するかを判定しない通常モードとするかについて決定する基地局装置ギャップモード決定部と、前記基地局装置ギャップモード決定部が測定モードと決定した場合に、前記受信品質指標に基づいて、前記移動局装置に対してギャップを生成する基地局装置ギャップ生成部とを備える。
本発明では、基地局装置から送信される信号の受信品質を移動局装置の受信品質測定部が測定し、受信品質に基づいて、受信品質指標を基地局装置に受信品質指標通知部が通知する。また、周辺の基地局装置の通信状態を基地局装置の通信状態取得部が取得し、受信品質指標の閾値を通信状態に関連付けて予め閾値記憶部が記憶し、通信状態取得部が取得した通信状態に対応する受信品質指標の閾値を閾値記憶部から閾値設定部が読み出し、受信品質指標通知部より通知された受信品質指標と閾値設定部が読み出した受信品質指標の閾値とに基づいて、信号の送受信を停止する区間であるギャップを生成するかを判定する測定モードとするかギャップを生成するかを判定しない通常モードとするかについて基地局装置ギャップモード決定部が決定し、基地局装置ギャップモード決定部が測定モードと決定した場合に、受信品質指標に基づいて、移動局装置に対してギャップを基地局装置ギャップ生成部が生成するようにした。
これにより、周辺の基地局装置の通信状態に応じて、基地局装置が生成するギャップの区間を変化させることができるため、周辺の基地局装置の通信状態が悪い場合に、基地局装置が移動局装置に信号を送信する際におけるギャップの生成を抑制することができ、基地局装置における処理を軽減することができる。
【００１７】
また、本発明の移動通信システムの前記基地局装置は、前記基地局装置ギャップ生成部がギャップを生成した旨を前記移動局装置に通知する基地局装置ギャップ通知部を備え、前記移動局装置は、前記基地局装置ギャップ通知部からギャップを生成した旨を通知された場合にギャップを生成する移動局装置ギャップ生成部と、前記移動局装置ギャップ生成部がギャップを生成している区間に前記基地局装置の周辺の基地局装置の受信品質を測定する測定部とを備える。
本発明では、周辺の基地局装置の通信状態に応じて、移動局装置が生成するギャップの区間を変化させることができるため、周辺の基地局装置の通信状態が悪い場合に、ハンドオーバのための移動局装置における周辺の基地局装置の測定を抑制することができ、移動局装置における処理を軽減することができる。
【００１８】
また、本発明の移動通信システムの前記基地局装置は、前記移動局装置より通知された受信品質指標の平均値を算出する受信品質指標平均値算出部を備え、前記閾値記憶部は、前記通信状態が悪いほど小さい受信品質指標の閾値を予め記憶し、前記基地局装置ギャップモード決定部は、前記受信品質指標平均値算出部が算出した平均値が前記閾値設定部が読み出した受信品質指標の閾値より大きい場合には通常モードと決定し、小さい場合には測定モードと決定する。
本発明では、周辺の基地局装置の通信状態が悪い場合には、閾値設定部が閾値記憶部から読み出す受信品質指標の閾値が小さくなり、モード決定部が測定モードと決定する区間が短くなるため、移動局装置がハンドオーバのために他の基地局装置を測定することを抑制することができる。
【００１９】
また、本発明の移動通信システムの前記通信状態取得部は、前記通信状態取得部は、通信状態として、前記周辺の基地局装置のトラフィック負荷を取得し、前記閾値記憶部は、前記トラフィック負荷が大きいほど小さい受信品質指標の閾値を予め記憶する。
本発明では、周辺の基地局装置のトラフィック負荷が悪い場合には、閾値設定部が閾値記憶部から読み出す受信品質指標の閾値が小さくなり、モード決定部が測定モードと決定する区間が短くなるため、移動局装置がハンドオーバのために他の基地局装置を測定することを抑制することができる。
【００２０】
また、本発明の移動通信システムの前記通信状態取得部は、前記通信状態取得部は、通信状態として、前記周辺の基地局装置が通信可能な領域内に存在する移動局装置数を取得し、前記閾値記憶部は、前記移動局装置数が多いほど小さい受信品質指標の閾値を予め記憶する。
本発明では、周辺の基地局装置が通信可能な領域内に存在する移動局装置数が多い場合には、閾値設定部が閾値記憶部から読み出す受信品質指標の閾値が小さくなり、モード決定部が測定モードと決定する区間が短くなるため、移動局装置がハンドオーバのために他の基地局装置を測定することを抑制することができる。
【００２１】
また、本発明の移動通信システムは、移動局装置と前記移動局装置と無線通信を行う基地局装置とを備える移動通信システムにおいて、前記基地局装置は、周辺の基地局装置の通信状態を取得する通信状態取得部と、前記移動局装置の受信品質の閾値を前記通信状態に関連付けて予め記憶する閾値記憶部と、前記通信状態取得部が取得した通信状態に対応する受信品質の閾値を前記閾値記憶部から読み出す閾値設定部と、前記閾値設定部が読み出した受信品質の閾値を前記移動局装置に通知する閾値通知部と、ギャップを生成した旨を前記移動局装置に通知する基地局装置ギャップ通知部を備え、前記移動局装置は、前記基地局装置から送信される信号の受信品質を測定する受信品質測定部と、前記受信品質測定部が測定した受信品質と前記閾値通知部より通知された受信品質の閾値とに基づいて、信号の送受信を停止する区間であるギャップ生成を要求するかを判定する測定モードとするか前記ギャップ生成を要求するかを判定しない通常モードとするかについて決定する移動局装置ギャップモード決定部と、前記移動局装置ギャップモード決定部が測定モードと決定した場合に、前記受信品質に基づいて、ギャップ生成要求情報を生成する移動局装置ギャップ要求部と、前記基地局装置よりギャップを通知された場合に、ギャップを生成する移動局装置ギャップ生成部と、前記移動局装置ギャップ生成部がギャップを生成している区間に前記基地局装置の周辺の基地局装置の受信品質を測定する測定部とを備える。
本発明では、周辺の基地局装置の通信状態を基地局装置の通信状態取得部が取得し、移動局装置の受信品質の閾値を通信状態に関連付けて予め閾値記憶部が記憶し、通信状態取得部が取得した通信状態に対応する受信品質の閾値を閾値記憶部から閾値設定部が読み出し、閾値設定部が読み出した受信品質の閾値を移動局装置に閾値通知部が通知し、ギャップを生成した旨を移動局装置に基地局装置ギャップ通知部が通知する。また、基地局装置から送信される信号の受信品質を移動局装置の受信品質測定部が測定し、受信品質測定部が測定した受信品質と閾値通知部より通知された受信品質の閾値とに基づいて、信号の送受信を停止する区間であるギャップ生成を要求するかを判定する測定モードとするかギャップ生成を要求するかを判定しない通常モードとするかについて移動局装置ギャップモード決定部が決定し、移動局装置ギャップモード決定部が測定モードと決定した場合に、受信品質に基づいて、ギャップ生成要求情報を移動局装置ギャップ要求部が生成し、基地局装置よりギャップを通知された場合に、ギャップを移動局装置ギャップ生成部が生成し、移動局装置ギャップ生成部がギャップを生成している区間に基地局装置の周辺の基地局装置の受信品質を測定部が測定するようにした。
これにより、周辺の基地局装置の通信状態に応じて、移動局装置が生成するギャップの区間を変化させることができるため、周辺の基地局装置の通信状態が悪い場合に、ハンドオーバのための移動局装置における周辺の基地局装置の測定を抑制することができ、移動局装置における処理を軽減することができる。
【００２２】
また、本発明の移動通信システムの前記移動局装置は、前記移動局装置は、前記受信品質測定部が測定した受信品質の平均値を算出する受信品質平均値算出部を備え、前記閾値記憶部は、前記通信状態が悪いほど小さい受信品質の閾値を予め記憶し、前記移動局装置ギャップモード決定部は、前記受信品質平均値算出部が算出した平均値が前記閾値設定部が読み出した受信品質の閾値より大きい場合には通常モードと決定し、小さい場合には測定モードと決定する。
本発明では、周辺の基地局装置の通信状態が悪い場合には、閾値設定部が閾値記憶部から読み出す受信品質指標の閾値が小さくなり、モード決定部が測定モードと決定する区間が短くなるため、移動局装置がハンドオーバのために他の基地局装置を測定することを抑制することができる。
【００２３】
また、本発明の移動通信システムの前記通信状態取得部は、通信状態として、前記周辺の基地局装置のトラフィック負荷を取得し、前記閾値記憶部は、前記トラフィック負荷が大きいほど小さい受信品質の閾値を予め記憶する。
本発明では、周辺の基地局装置のトラフィック負荷が悪い場合には、閾値設定部が閾値記憶部から読み出す受信品質指標の閾値が小さくなり、モード決定部が測定モードと決定する区間が短くなるため、移動局装置がハンドオーバのために他の基地局装置を測定することを抑制することができる。
【００２４】
また、本発明の移動通信システムの前記通信状態取得部は、通信状態として、前記周辺の基地局装置が通信可能な領域内に存在する移動局装置数を取得し、前記閾値記憶部は、前記移動局装置数が多いほど小さい受信品質の閾値を予め記憶する。
本発明では、周辺の基地局装置が通信可能な領域内に存在する移動局装置数が多い場合には、閾値設定部が閾値記憶部から読み出す受信品質指標の閾値が小さくなり、モード決定部が測定モードと決定する区間が短くなるため、移動局装置がハンドオーバのために他の基地局装置を測定することを抑制することができる。
【００２５】
また、本発明の移動通信システムの前記移動局装置は、前記基地局装置に対してギャップ生成要求情報を通知するギャップ生成要求通知部を備え、前記基地局装置ギャップ生成部は、前記ギャップ生成要求通知部から受信したギャップの生成要求を受け付けた場合に、前記移動局装置にギャップを通知し、前記移動局装置にギャップを生成する。
本発明では、移動局装置のギャップ生成要求部がギャップの生成を要求した場合には、通常モードにあるときであっても、基地局装置から移動局装置に信号を送信する際に基地局装置ギャップ生成部がギャップを生成することができ、移動局装置は、周辺の基地局装置の通信状態が悪い場合であっても、ハンドオーバを行うための周辺の基地局装置の測定を行うことができる。
【００２６】
また、本発明の基地局装置は、移動局装置と通信する基地局装置において、周辺の基地局装置の通信状態を取得する通信状態取得部と、受信品質指標の閾値を前記通信状態に関連付けて予め記憶する閾値記憶部と、前記通信状態取得部が取得した通信状態に対応する受信品質指標の閾値を前記閾値記憶部から読み出す閾値設定部と、前記移動局装置より通知された受信品質指標と前記閾値設定部が読み出した受信品質指標の閾値とに基づいて、信号の送受信を停止する区間であるギャップを生成するかを判定する測定モードとするか前記ギャップを生成するかを判定しない通常モードとするかについて決定する基地局装置ギャップモード決定部と、前記基地局装置ギャップモード決定部が測定モードと決定した場合に、前記受信品質指標に基づいて、前記移動局装置に対してギャップを生成する基地局装置ギャップ生成部と、ギャップを生成した旨を前記移動局装置に通知する基地局装置ギャップ通知部とを備える。
【００２７】
また、本発明の移動局装置は、基地局装置と通信する移動局装置において、前記基地局装置から送信される信号の受信品質を測定する受信品質測定部と、前記受信品質測定部が測定した受信品質と前記基地局装置より通知された受信品質の閾値とに基づいて、信号の送受信を停止する区間であるギャップ生成を要求するかを判定する測定モードとするか前記ギャップ生成を要求するかを判定しない通常モードとするかについて決定する移動局装置ギャップモード決定部と、前記移動局装置ギャップモード決定部が測定モードと決定した場合に、前記受信品質に基づいて、ギャップ生成要求情報を生成する移動局装置ギャップ要求部と、前記基地局装置に対してギャップ生成要求情報を通知するギャップ生成要求通知部と、前記基地局装置よりギャップを通知された場合に、ギャップを生成する移動局装置ギャップ生成部と、前記移動局装置ギャップ生成部がギャップを生成している区間に前記基地局装置の周辺の基地局装置の受信品質を測定する測定部とを備える。
【００２８】
また、本発明の基地局装置は、移動局装置と通信する基地局装置において、周辺の基地局装置の通信状態を取得する通信状態取得部と、前記移動局装置がギャップ生成の要求を判定するかしないかに用いる受信品質の閾値を前記通信状態に関連付けて予め記憶する閾値記憶部と、前記通信状態取得部が取得した通信状態に対応する受信品質の閾値を前記閾値記憶部から読み出す閾値設定部と、前記閾値設定部が読み出した受信品質の閾値を前記移動局装置に通知する閾値通知部と、ギャップを生成した旨を前記移動局装置に通知する基地局装置ギャップ通知部とを備える。
【００２９】
また、本発明の移動通信方法は、移動局装置と前記移動局装置と無線通信を行う基地局装置とを用いた移動通信方法において、前記基地局装置から送信される信号の受信品質を前記移動局装置が測定する受信品質測定過程と、前記受信品質に基づいて、受信品質指標を前記移動局装置が前記基地局装置に通知する受信品質指標通知過程と、周辺の基地局装置の通信状態を前記基地局装置が取得する通信状態取得過程と、受信品質指標の閾値を前記基地局装置が前記通信状態に関連付けて予め記憶する閾値記憶過程と、前記通信状態取得過程で取得した通信状態に対応する受信品質指標の閾値を前記閾値記憶過程で記憶した情報に基づいて基地局装置が読み出す閾値設定過程と、前記受信品質指標測定過程で測定した受信品質指標と前記閾値設定過程で読み出した受信品質指標の閾値とに基づいて、信号の送受信を停止する区間であるギャップを生成するかを判定する測定モードとするか前記ギャップを生成するかを判定しない通常モードとするかについて基地局装置が決定する基地局装置ギャップモード決定過程と、前記基地局装置モード決定過程で測定モードと決定した場合に、前記受信品質指標に基づいて、前記移動局装置に対して基地局装置がギャップを生成する基地局装置ギャップ生成過程と、前記基地局装置がギャップを生成した旨を前記移動局装置に通知する基地局装置ギャップ通知過程とを実行する。
【００３０】
また、本発明の移動通信方法は、移動局装置と前記移動局装置と無線通信を行う基地局装置とを用いた移動通信方法において、周辺の基地局装置の通信状態を前記基地局装置が取得する通信状態取得過程と、前記移動局装置がギャップ生成の要求を判定するかしないかに用いる受信品質の閾値を前記基地局装置が前記通信状態に関連付けて予め記憶する閾値記憶過程と、前記通信状態取得過程で取得した通信状態に対応する受信品質の閾値を前記閾値記憶過程で記憶した情報に基づいて前記基地局装置が読み出す閾値設定過程と、前記閾値設定過程が読み出した受信品質の閾値を前記基地局装置が前記移動局装置に通知する閾値通知過程と、前記基地局装置から送信される信号の受信品質を前記移動局装置が測定する受信品質測定過程と、前記受信品質測定過程で測定した受信品質と前記閾値通知過程で通知された受信品質の閾値とに基づいて、信号の送受信を停止する区間であるギャップ生成を要求するかを判定する測定モードとするか前記ギャップ生成を要求するかを判定しない通常モードとするかについて前記移動局装置が決定する移動局装置ギャップモード決定過程と、前記移動局装置ギャップモード決定過程で測定モードと決定した場合に、前記受信品質に基づいて、ギャップ生成要求情報を前記移動局装置が生成する移動局装置ギャップ要求過程と、前記基地局装置に対してギャップ生成要求情報を前記移動局装置が通知するギャップ生成要求通知過程と、前記基地局装置がギャップを生成した旨を前記移動局装置に通知する基地局装置ギャップ通知過程と、前記基地局装置よりギャップを通知された場合に、ギャップを前記移動局装置が生成する移動局装置ギャップ生成過程と、前記移動局装置ギャップ生成過程でギャップを生成している区間に前記基地局装置の周辺の基地局装置の受信品質を測定する測定過程とを実行する。
【発明の効果】
【００３１】
本発明では、移動局装置が通信を行っている基地局装置から周辺の基地局装置にハンドオーバを行った場合に、通信状態が悪い中で通信を行うことを防ぐことができる。
また、本発明では、ハンドオーバに関わる基地局装置と移動局装置との間での無線リソースの無駄をなくし、基地局装置の負荷を減少させることができる。
【発明を実施するための最良の形態】
【００３２】
（第１の実施形態）
図１は、本発明の第１の実施形態における移動通信システムの概略構成図である。移動通信システムは、複数の基地局装置と複数の移動局装置とからなる。複数の基地局装置は、二次元平面上に蜂の巣状に配置されている。なお、本実施形態では、基地局装置ＢＳ１０と、その基地局装置ＢＳ１０の周辺の基地局装置ＢＳ１１〜ＢＳ１６のみを示しており、その他の基地局装置については、図示を省略している。
基地局装置ＢＳ１０は、基地局装置ＢＳ１０が通信可能な領域であるセルｃ１０内に存在する移動局装置ＭＳ１０と通信することが可能である。また、基地局装置ＢＳ１１〜ＢＳ１６は、基地局装置ＢＳ１１〜ＢＳ１６が通信可能な領域であるｃ１１〜ｃ１６内に存在する移動局装置ＭＳ１１〜ＭＳ１６とそれぞれ通信することが可能である。なお、各セル内に存在する移動局装置は、１台に限定されるものではなく、複数台存在してもよい。なお、本実施形態では、基地局装置ＢＳ１１〜ＢＳ１６は異なる搬送波周波数を用いている。
【００３３】
本発明の第１の実施形態は、ハンドオーバ候補である周辺の基地局装置のトラフィック負荷の状況に応じて、測定モードに入るか否かの判定に用いるＣＱＩ閾値を制御する。基地局装置ＢＳ１０〜ＢＳ１６の間でトラフィック負荷に関する情報のやり取りを行い、基地局装置はハンドオーバ候補である周辺の基地局装置毎にＣＱＩ閾値を設定し、ギャップ生成アルゴリズムを制御する。なお、第１の実施形態は、基地局装置が通常モードとするか測定モードとするかを判定するアルゴリズムを有し、基地局装置がギャップ指示メッセージを移動局装置に送信し、移動局装置はギャップ指示メッセージに従ってギャップ生成を行う。
【００３４】
図２は、本発明の第１の実施形態による基地局装置ＢＳ１０（図１）の構成を示すブロック図である。基地局装置ＢＳ１０は、通信部１０、タイマ１１、制御部１３、リソース割り当て間隔設定部１４、トラフィック負荷測定部１５を具備する。
通信部１０は、基地局装置ＢＳ１０の周辺の基地局装置ＢＳ１１〜ＢＳ１６と有線又は無線通信を行い、移動局装置ＭＳ１０と無線通信を行う。また、通信部１０は、無線通信により、移動局装置ＭＳ１０よりフィードバックされるＣＱＩ瞬時値を受信したり、移動局装置ＭＳ１０とパケットデータの送受信をしたり、パケットデータを制御部１３に出力したりする。本実施形態においては、通信部１０はギャップ指示メッセージを含んだパケットデータを移動局装置ＭＳ１０に送信する。
【００３５】
タイマ１１は、制御部１３より指示された時間を計時し、その計時結果を制御部１３に出力する。制御部１３は、基地局装置ＢＳ１０の各部の動作を制御したり、制御情報を各部に出力したりする。本実施形態においては、制御部１３は通信部１０を経由して送られたハンドオーバ候補の基地局装置のトラフィック負荷の状況から、測定モードに入るか否かについての判定に用いるＣＱＩ閾値を、ハンドオーバ候補の基地局装置ＢＳ１１〜ＢＳ１６毎に決定し、リソース割り当て間隔設定部１４に出力する。
また、リソース割り当て間隔設定部１４より入力されるギャップ生成の有無情報を基に、ギャップ指示メッセージを生成し、通信部１０に出力する。トラフィック負荷測定部１５は、制御部１３より入力された各移動局装置に対するデータのバッファ状況、移動局装置数などからトラフィック負荷を測定し、自基地局装置ＢＳ１０のトラフィック負荷を通信部１０及び制御部１３に出力する。
【００３６】
リソース割り当て間隔設定部１４は、移動局装置ＭＳ１０より通知されたＣＱＩ瞬時値と測定モードに入るか否かの判定に用いるＣＱＩ閾値を基に、ギャップ生成の有無を判定すると共に、無線リソースの割り当てを行う間隔を設定し、ギャップ生成の有無情報とリソース割り当て間隔とを制御部１３に出力する。
基地局装置ＢＳ１０は、リソース割り当て間隔設定部１４で設定された間隔を、制御部１３を介してタイマ１１で計時して、移動局装置のＣＱＩ、または基地局装置ＢＳ１０の測定結果のフィードバック用のアップリンクの無線リソースを移動局装置に割り当てると共に、ギャップ指示メッセージを移動局装置に送信し、ＣＱＩ瞬時値又は基地局装置の測定結果を移動局装置から受信する。
また、基地局装置ＢＳ１０は、トラフィック負荷状況のやり取りをハンドオーバ候補の基地局装置ＢＳ１１〜ＢＳ１６との間で行う。
【００３７】
図３は、本発明の第１の実施形態による基地局装置ＢＳ１０のリソース割り当て間隔設定部１４（図２）の構成を示すブロック図である。リソース割り当て間隔設定部１４は、リソース割り当て間隔設定部１４−１〜１４−ｎ（ｎは移動局装置の数）を移動局装置毎に備えている。
リソース割り当て間隔設定部１４−１は、平均ＣＱＩ導出部２０、メモリ２１、閾値設定部２２、モード判定部２３、リソース割り当て間隔選択部２４、閾値記憶部２５を具備している。なお、リソース割り当て間隔設定部１４−２〜１４−ｎの構成は、リソース割り当て間隔設定部１４−１の構成と同じであるので、それらの説明を省略する。
【００３８】
平均ＣＱＩ導出部２０は、移動局装置から通知されるＣＱＩ瞬時値に基づいて、ＣＱＩ平均値を導出する。メモリ２１は、一定期間の間に通知されるＣＱＩ瞬時値や、平均ＣＱＩ導出部２０が算出するＣＱＩ平均値を記憶する。
閾値設定部２２は、制御部１３より入力されたトラフィック負荷の情報に対応するＣＱＩ閾値を、閾値記憶部２５から読み出す。
モード判定部２３は、平均ＣＱＩ導出部２０で算出されたＣＱＩ平均値と、閾値設定部２２で設定されたＣＱＩ閾値とに基づいて、前述のようにして、通常モードと測定モードとの切り替えの判定を行う。リソース割り当て間隔選択部２４は、モード判定部２３の判定結果と、ＣＱＩ瞬時値及びＣＱＩ平均値からギャップを生成するか否かについて判定すると共に、無線リソース割り当てを行う間隔を設定する。
【００３９】
移動局装置毎に対して設けられた平均ＣＱＩ導出部２０では、移動局装置からフィードバックされたＣＱＩ瞬時値と、メモリ２１に記憶された過去の一定期間の間にフィードバックされたＣＱＩ瞬時値とを平均することによりＣＱＩ平均値を算出し、その算出したＣＱＩ平均値をモード判定部２３及びリソース割り当て間隔選択部２４に出力する。新たなＣＱＩ瞬時値はメモリ２１に記憶されるとともに、一定期間を経過したＣＱＩ瞬時値（ＣＱＩ平均値の算出に寄与しない一定時間を経過したＣＱＩ瞬時値）はメモリ２１から消去される。
閾値設定部２２では、設定したＣＱＩ閾値をモード判定部２３に出力する。モード判定部２３では、平均ＣＱＩ導出部２０から入力されたＣＱＩ平均値と、通常モードと測定モードとの切り替えを行うＣＱＩ閾値との比較を行い、リソース割り当て間隔選択部２４に判定したモード情報（通常モード又は測定モード）を出力する。
【００４０】
リソース割り当て間隔選択部２４では、モード判定部２３の判定結果と、ＣＱＩ瞬時値及びＣＱＩ平均値からギャップを生成するか否かについての判定を行い、ギャップの生成の有無情報を基に、上りリンクのＣＱＩ瞬時値、または基地局装置の測定結果のフィードバックに使用する無線リソースのリソース割り当て間隔を選択してギャップ生成の有無情報と共に出力する。
なお、ギャップの生成時のリソース割り当て間隔は、ギャップを生成しない時のリソース割り当て間隔より、移動局装置がハンドオーバ候補の基地局装置の測定に必要な時間分ほど長い。なお、ギャップの生成時のリソース割り当て間隔は、移動局装置が基地局装置の測定を行うハンドオーバ候補の基地局装置の種類に応じて異なるようにしてもよい。
【００４１】
図４（ａ）は、本発明の第１の実施形態による基地局装置ＢＳ１０の閾値記憶部２５（図３）が記憶する情報の一例を示す図である。閾値記憶部２５は、ＣＱＩ閾値をトラフィック負荷に関連付けて予め記憶している。より具体的には、閾値記憶部２５は、トラフィック負荷が悪い（大きい）ほど、小さいＣＱＩ閾値を予め記憶している。図７（ａ）において、Ｌｏａｄ＿Ａ＜Ｌｏａｄ＿Ｂ＜Ｌｏａｄ＿Ｃ＜Ｌｏａｄ＿Ｄであり、Ｘ４＜Ｘ３＜Ｘ２＜Ｘ１である。
【００４２】
閾値設定部２２は、トラフィック負荷がＬｏａｄ＿Ａよりも小さい場合（〜Ｌｏａｄ＿Ａ）には、閾値記憶部２５からＣＱＩ閾値としてＸ１を読み出す。
また、閾値設定部２２は、トラフィック負荷がＬｏａｄ＿Ａ以上であってＬｏａｄ＿Ｂよりも小さい場合（Ｌｏａｄ＿Ａ〜Ｌｏａｄ＿Ｂ）、トラフィック負荷がＬｏａｄ＿Ｂ以上であってＬｏａｄ＿Ｃよりも小さい場合（Ｌｏａｄ＿Ｂ〜ＬｏａｄＣ）、トラフィック負荷がＬｏａｄ＿Ｃ以上である場合（Ｌｏａｄ＿Ｃ）には、閾値記憶部２５からＣＱＩ閾値としてＸ２、Ｘ３、Ｘ４をそれぞれ読み出す。
なお、閾値記憶部２５に、図４（ａ）に示すような情報ではなく、図４（ｂ）に示すような情報を記憶するようにしてもよい。
【００４３】
図４（ｂ）は、本発明の第１の実施形態による基地局装置ＢＳ１０の閾値記憶部２５（図３）が記憶する情報の他の一例を示す図である。閾値記憶部２５は、ＣＱＩ閾値をトラフィック負荷に関連付けて予め記憶している。より具体的には、閾値記憶部２５は、トラフィック負荷が悪いほど、小さいＣＱＩ閾値を予め記憶している。図４（ｂ）では、トラフィック負荷が悪いＬｏａｄ＿Ｄから、トラフィック負荷が良いＬｏａｄ＿Ｅに近づくにつれて、ＣＱＩ閾値がＸａからＸｂに直線的に減少している。なお、Ｌｏａｄ＿Ｄ＜Ｌｏａｄ＿Ｅであり、Ｘｂ＜Ｘａである。
【００４４】
なお、トラフィック負荷とＣＱＩ閾値の対応関係はハンドオーバ候補の基地局装置の無線アクセス技術の種類に応じて異なるようにしてもよい。例えば、ＧＳＭ（Global System for Mobile Communications）、ＵＴＲＡなどはトラフィックの処理能力が異なるため、トラフィック負荷とＣＱＩ閾値の対応関係を異なるようにしてもよい。また、無線アクセス技術の種類が同一の場合であっても、ハードウェア、ソフトウェアの処理能力が異なる場合があるため、そのような場合においてもトラフィック負荷とＣＱＩ閾値との対応関係を異なるようにしてもよい。
【００４５】
図５は、本発明の第１の実施形態による移動局装置ＭＳ１０（図１）の構成を示すブロック図である。なお、図１における移動局装置ＭＳ１１〜ＭＳ１６は、移動局装置ＭＳ１０と同様の構成を有するため、それらの説明を省略する。
移動局装置ＭＳ１０は、通信部３０、タイマ３１、制御部３２、ＣＱＩ瞬時値測定部３３、フィードバック間隔設定部３４を具備する。
【００４６】
通信部３０は、無線通信により、ＣＱＩ瞬時値測定部３３で測定したＣＱＩ瞬時値を、制御部３２を介して基地局装置ＢＳ１０へ送信したり、基地局装置ＢＳ１０とパケットデータの送受信をしたり、パケットデータをＣＱＩ瞬時値測定部３３及び制御部３２に出力したりする。本実施形態においては、ギャップ指示メッセージを含むパケットデータを基地局装置ＢＳ１０より受信する。なお、パケットデータに制御情報を含めて送信することは、ＲＲＣ（Radio Resource Control）シグナリングを用いて制御情報を送信するということである。
【００４７】
ＣＱＩ瞬時値測定部３３は、通信部３０から入力されたパケットデータを基に所定の時刻におけるＣＱＩ瞬時値を測定し、測定したＣＱＩ瞬時値を通信部３０に出力する。タイマ３１は、制御部３２より指示された時間を計時し、結果を制御部３２に出力する。制御部３２は、移動局装置ＭＳ１０の各部の動作を制御したり、制御情報を各部に出力したりする。本実施形態においては、制御部３２は通信部３０より入力されたギャップ指示メッセージを解読し、ギャップ生成の有無情報をフィードバック間隔設定部３４に出力する。
【００４８】
フィードバック間隔設定部３４は、制御部３２より入力される制御情報を基にＣＱＩ瞬時値、またはハンドオーバ候補の基地局装置の測定結果を、基地局装置へフィードバックする間隔を設定し、フィードバック間隔を制御部３２に出力する。具体的には、フィードバック間隔設定部３４は、ギャップ生成の有無情報が入力されるか否かに応じて、フィードバック間隔を選択し、選択したフィードバック間隔を出力する。なお、ギャップ生成の有無情報が入力された場合のフィードバック間隔は、ギャップ生成有りの情報が入力されなかった場合のフィードバック間隔より、ハンドオーバ候補の基地局装置の測定に必要な時間分ほど長い。なお、ギャップ生成の有無情報が入力された場合のフィードバック間隔は、移動局装置が基地局装置の測定を行うハンドオーバ候補の基地局装置の無線アクセス技術の種類に応じて異なるようにしてもよい。
また、移動局装置はハンドオーバ候補の基地局装置の測定を行う機能を有しており、測定結果を制御部３２、通信部３０を介して基地局装置ＢＳ１０に送信する。
【００４９】
図６は、本発明の第１の実施形態による移動通信システムの処理を示すシーケンス図である。ここでは、移動通信システムが、移動局装置ＭＳ１０、基地局装置ＢＳ１０、基地局装置ＢＳ１１の間で処理を行う場合について説明する。
図６の処理を行う前提として、基地局装置ＢＳ１０の閾値記憶部２５には、図４（ａ）に示すような、トラフィック負荷（通信状態とも称する）が悪いほど小さいＣＱＩ閾値（受信品質指標の閾値とも称する）の情報が予め記録される。
【００５０】
始めに、基地局装置ＢＳ１１のトラフィック負荷測定部１５は、基地局装置ＢＳ１１のセルｃ１１内に存在する複数の移動局装置と通信する際の負荷であるトラフィック負荷を測定する（ステップＳ４１）。
そして、基地局装置ＢＳ１１の制御部１３は、ステップＳ４１でトラフィック負荷測定部１５が測定したトラフィック負荷の情報を、通信部１０を介して、基地局装置ＢＳ１０に対して送信する（ステップＳ４２）。
なお、基地局装置ＢＳ１１は、ステップＳ４１とＳ４２の処理を、所定時間（例えば、１分）が経過するたびに繰り返し行う。なお、基地局装置ＢＳ１１は、所定時間が経過するたびにステップＳ４１とＳ４２の処理を繰り返し行うのではなく、トラフィック負荷測定部１５が測定するトラフィック負荷が、前回の測定時よりも所定の割合（例えば、１０％）だけ増加した場合に、ステップＳ４１とＳ４２の処理を行うようにしてもよい。なお、基地局装置ＢＳ１１は基地局装置ＢＳ１０がトラフィック負荷の測定を要求するメッセージを受信した場合に、ステップＳ４１とＳ４２の処理を行うようにしてもよい。
【００５１】
基地局装置ＢＳ１０の制御部１３（通信状態取得部とも称する）は、通信部１０を介して、基地局装置ＢＳ１０の周辺の基地局装置である基地局装置ＢＳ１１のトラフィック負荷の情報（通信状態とも称する）を取得する（ステップＳ２１）。
そして、基地局装置ＢＳ１０の閾値設定部２２は、ステップＳ２１で取得したトラフィック負荷に対応するＣＱＩ閾値を、閾値記憶部２５から読み出す（ステップＳ２２）。
【００５２】
一方、移動局装置ＭＳ１０のＣＱＩ瞬時値測定部３３（受信品質指標測定部とも称する）は、基地局装置ＢＳ１０から送信される信号のＣＱＩ瞬時値（受信品質指標とも称する）を測定する（ステップＳ１１）。
そして、移動局装置ＭＳ１０の制御部３２は、通信部３０（受信品質指標通知部とも称する）を介して、ＣＱＩ瞬時値測定部３３がステップＳ１１で測定したＣＱＩ瞬時値を、基地局装置ＢＳ１０に対して送信する（ステップＳ１２）。
なお、移動局装置ＭＳ１０は、ステップＳ１１とＳ１２の処理を、所定時間（例えば、０．０１秒）が経過するたびに繰り返し行う。
【００５３】
基地局装置ＢＳ１０の制御部１３は、通信部１０を介して、ステップＳ１２で移動局装置ＭＳ１０が送信したＣＱＩ瞬時値を取得する（ステップＳ２３）。
そして、基地局装置ＢＳ１０の平均ＣＱＩ導出部２０（受信品質指標平均値算出部とも称する）は、ステップＳ１１で移動局装置のＣＱＩ瞬時値測定部３３が測定しステップＳ２３で基地局装置ＢＳ１０の制御部１３が取得したＣＱＩ瞬時値の所定の時間間隔における平均値を算出する（ステップＳ２４）。
【００５４】
そして、基地局装置ＢＳ１０のモード判定部２３（基地局装置ギャップモード決定部とも称する）は、移動局装置ＭＳ１０のＣＱＩ瞬時値測定部３３がステップＳ１１で測定したＣＱＩ瞬時値と、閾値設定部２２が閾値記憶部２５からステップＳ２２で読み出したＣＱＩ閾値とに基づいて、移動局装置ＭＳ１０との間の信号の送受信を停止する区間であるギャップを生成するかを判定する測定モードとするか、そのギャップを生成するかを判定しない通常モードとするかについて決定する（ステップＳ２５）。より具体的には、基地局装置ＢＳ１０のモード判定部２３は、平均ＣＱＩ導出部２０が算出したＣＱＩ平均値が、閾値設定部２２が閾値記憶部２５から読み出したＣＱＩ閾値より大きい場合には通常モードと決定し、小さい場合には測定モードと決定する。そして、基地局装置ＢＳ１０のリソース割り当て間隔選択部２４は、モード判定部２３が通常モードと決定したか測定モードと決定したかについて判定する（ステップＳ２６）。モード判定部２３が通常モードと決定した場合には、ギャップを生成するか否かの判定を行わず、ギャップを生成しない（ステップＳ３１）。一方、モード判定部２３が測定モードと決定した場合には、ギャップ生成の有無を決定する（ステップＳ２７）。より具体的には、基地局装置ＢＳ１０のリソース割り当て間隔選択部２４（基地局装置ギャップ生成部とも称する）は、制御部１３が、通信部１０を介して、取得したＣＱＩ瞬時値が、平均ＣＱＩ導出部２０が算出したＣＱＩ平均値より大きい場合にはギャップ生成無しと決定し、小さい場合にはギャップ生成有りと決定する。次に、リソース割り当て間隔選択部２４は、内部処理でギャップ生成無しと決定したかギャップ生成有りと決定したかについて判定する（ステップＳ２８）。ステップＳ２８において、ギャップ生成無しと決定した場合には、ギャップを生成しない（ステップＳ３１）。一方、ステップＳ２８において、ギャップ生成有りと決定した場合には、基地局装置ＢＳ１０の制御部１３（基地局装置ギャップ通知部とも称する）は、ギャップ指示メッセージを、移動局装置ＭＳ１０に送信する（ステップＳ２９）。そして、基地局装置ＢＳ１０のリソース割り当て間隔選択部２４は、ギャップを生成する（ステップＳ３０）。
【００５５】
また、移動局装置ＭＳ１０の制御部３２は、通信部３０を介して、ステップＳ２９で基地局装置ＢＳ１０から送信されるギャップ指示メッセージを受信する（ステップＳ１３）。
そして、移動局装置ＭＳ１０のフィードバック間隔設定部３４（移動局装置ギャップ生成部とも称する）は、ギャップ指示メッセージを通知された場合に、ギャップを生成する（ステップＳ１４）。そして、移動局装置ＭＳ１０の制御部３２（測定部とも称する）は、フィードバック間隔設定部３４がギャップを生成している区間に、基地局装置ＢＳ１０の周辺の基地局装置ＢＳ１１の受信品質を測定する（ステップＳ１５）。なお、フィードバック間隔設定部３４は、基地局装置ＢＳ１０の制御部１３からギャップ指示メッセージを通知されない場合にはギャップを生成せず、基地局装置ＢＳ１０の周辺の基地局装置ＢＳ１１の受信品質を測定しない。
【００５６】
図７は、本発明の第１の実施形態による移動通信システムを用いた場合の効果について説明するための図である。
本実施形態では、例えば、基地局装置ＢＳ１１のトラフィック負荷測定部１５がステップＳ３１で測定するトラフィック負荷がＬｏａｄ＿Ａよりも小さい場合には、基地局装置ＢＳ１０の閾値設定部２２はステップＳ２２でＣＱＩ閾値としてＸ１を閾値記憶部２５から読み出す。これにより、基地局装置ＢＳ１０のモード判定部２３は、ステップＳ２５において、時間Ｔ０〜Ｔ１、Ｔ８以降は通常モードと決定し、時間Ｔ１〜Ｔ８は測定モードと決定する。
【００５７】
また、本実施形態では、例えば、基地局装置ＢＳ１１のトラフィック負荷測定部１５がステップＳ３１で測定するトラフィック負荷がＬｏａｄ＿Ａ以上であってＬｏａｄ＿Ｂよりも小さい場合には、基地局装置ＢＳ１０の閾値設定部２２はステップＳ２２でＣＱＩ閾値としてＸ２を閾値記憶部２５から読み出す。これにより、基地局装置ＢＳ１０のモード判定部２３は、ステップＳ２５において、時間Ｔ０〜Ｔ２、Ｔ７以降は通常モードと決定し、時間Ｔ２〜Ｔ７は測定モードと決定する。
【００５８】
また、本実施形態では、例えば、基地局装置ＢＳ１１のトラフィック負荷測定部１５がステップＳ３１で測定するトラフィック負荷がＬｏａｄ＿Ｂ以上であってＬｏａｄ＿Ｃよりも小さい場合には、基地局装置ＢＳ１０の閾値設定部２２はステップＳ２２でＣＱＩ閾値としてＸ３を閾値記憶部２５から読み出す。これにより、基地局装置ＢＳ１０のモード判定部２３は、ステップＳ２５において、時間Ｔ０〜Ｔ３、Ｔ４〜Ｔ５、Ｔ６以降は通常モードと決定し、時間Ｔ３〜Ｔ４、Ｔ５〜Ｔ６は測定モードと決定する。
【００５９】
また、本実施形態では、例えば、基地局装置ＢＳ１１のトラフィック負荷測定部１５がステップＳ３１で測定するトラフィック負荷がＬｏａｄ＿Ｃ以上である場合には、基地局装置ＢＳ１０の閾値設定部２２はステップＳ２２でＣＱＩ閾値としてＸ４を閾値記憶部２５から読み出す。これにより、基地局装置ＢＳ１０のモード判定部２３は、ステップＳ２５において、時間Ｔ０以降は通常モードと決定し、測定モードと決定することはない。
【００６０】
このように、基地局装置ＢＳ１０の周辺の基地局装置ＢＳ１１のトラフィック負荷が悪い場合（大きい場合）には、移動局装置ＭＳ１０がハンドオーバを行っても、リソースが割り当てられる可能性が低く、ハンドオーバ前の状況と余り変わらない可能性がある。そのような非効率なハンドオーバを避けるため、トラフィック負荷が悪い場合（大きい場合）には、閾値設定部２２が閾値記憶部２５から読み出すＣＱＩ閾値が小さくなり、モード判定部２３が測定モードと決定する区間が短くなるため、基地局装置ＢＳ１０が移動局装置ＭＳ１０に信号を送信する際におけるギャップの生成をハンドオーバが効率的な区間に生成されるように抑制することができ、基地局装置ＢＳ１０における処理を軽減することができる。また、移動局装置ＭＳ１０がハンドオーバのために他の基地局装置を測定することを抑制することができ、低消費電力化を図ることができる。また、ギャップ制御に関わる基地局装置ＢＳ１０と移動局装置ＭＳ１０のメッセージ（ギャップ指示メッセージ、周辺の基地局装置ＢＳ１１の受信品質の測定結果）のやりとりに用いる無線リソースを節約することができる。
【００６１】
なお、トラフィック負荷だけではなく、アイドル（IDLE）状態の移動局装置数も考慮してＣＱＩ閾値を設定するようにしてもよい。移動局装置は、アイドル状態とアクティブ（ACTIVE）状態の２つの状態を取る。アイドル状態は、移動局装置が基地局装置と通信セッションが確立されていない状態であり、アクティブ状態は、移動局装置が基地局装置と通信セッションが確立されている状態である。
なお、トラフィック負荷は、アクティブ状態の移動局装置の状況を示したものである。無線リソースの制限などから、セル（基地局装置が管理する領域）内において一度に通信セッションを確立できる移動局装置数、つまりアクティブ状態の移動局装置数は制限され、残りの移動局装置はアイドル状態となる。通信サービスを提供するオペレータは、少なくとも異なる移動通信システム（又は、無線アクセス技術）毎にアイドル状態の移動局装置も含めて全ての移動局装置の登録、管理をしている。一つの移動通信システムに移動局装置が集中すると、オペレーション能力の点で問題となるため、移動局装置を分散させることが好ましい。一つの移動通信システムに移動局装置が集中すると、システムがダウンする。以上のことを考慮して、基地局装置間で登録、管理している移動局装置数に関する情報をやり取りし、その情報を基にギャップ生成アルゴリズムの通常モードと測定モードの判定に用いるＣＱＩ閾値を設定し、移動通信システム間で移動局装置を分散させるようにしてもよい。以上の処理により、一度に多くの移動局装置が一つの移動通信システムに集中することを避けることができる。
【００６２】
（第２の実施形態）
本発明の第２の実施形態による移動通信システムの概略構成図は、第１の実施形態（図１）と同じであるので、その説明を省略する。
本実施形態は、移動局装置が、通常モードとするか測定モードとするかを判定するアルゴリズムを有し、基地局装置にギャップ要求メッセージを送信し、ギャップ要求メッセージを受信した基地局装置が最終的にギャップ指示メッセージを移動局装置に送信し、移動局装置はギャップ指示メッセージに従ってギャップ生成を行う。
【００６３】
図８は、本発明の第２の実施形態による基地局装置ＢＳ１０（図１）の構成を示すブロック図である。基地局装置ＢＳ１０は、通信部４０、タイマ４１、制御部４３、リソース割り当て間隔設定部４４、トラフィック負荷測定部４５を具備する。
本発明の第２の実施形態による通信部４０、タイマ４１、制御部４３、リソース割り当て間隔設定部４４、トラフィック負荷測定部４５は、第１の実施形態（図２）による通信部１０、タイマ１１、制御部１３、リソース割り当て間隔設定部１４、トラフィック負荷測定部１５と同様の機能を有する。
【００６４】
基地局装置ＢＳ１０は、通信部４０において移動局装置ＭＳ１０よりギャップ要求メッセージを受信し、制御部４３に出力する。制御部４３は、ギャップ要求メッセージを送信した移動局装置ＭＳ１０に対し、ギャップを生成するか否かについて判定し、ギャップを生成すると判定した場合は、通信部４０を介して移動局装置ＭＳ１０にギャップ指示メッセージを送信すると共に、ギャップ生成の有無情報をリソース割り当て間隔設定部４４に出力する。リソース割り当て間隔設定部４４は、ギャップ生成の有無情報に応じて、無線リソースの割り当てを行う間隔を設定し、リソース割り当て間隔を制御部４３に出力する。基地局装置ＢＳ１０は、リソース割り当て間隔設定部４４で設定された間隔を、制御部４３を介してタイマ４１で計時して、移動局装置ＭＳ１０のＣＱＩ又は基地局装置ＢＳ１０の測定結果のフィードバック用のアップリンクの無線リソースを移動局装置ＭＳ１０に割り当てる。また、基地局装置ＢＳ１０は、制御部４３においてトラフィック負荷の情報を基に設定した測定モード突入の判定に用いるＣＱＩ閾値を、通信部４０を介して移動局装置ＭＳ１０に送信する。
【００６５】
なお、ギャップを生成する時のリソース割り当て間隔は、ギャップを生成しない時のリソース割り当て間隔より、移動局装置ＭＳ１０がハンドオーバ候補の基地局装置の測定に必要な時間分ほど長い。なお、ギャップを生成する時のリソース割り当て間隔は、移動局装置が基地局装置の測定を行うハンドオーバ候補の無線アクセス技術の種類に応じて異なるようにしてもよい。
【００６６】
図９は、本発明の第２の実施形態による移動局装置ＭＳ１０（図１）の構成を示すブロック図である。なお、図１における移動局装置ＭＳ１１〜ＭＳ１６は、移動局装置ＭＳ１０と同様の構成を有するため、それらの説明を省略する。
移動局装置ＭＳ１０は、通信部５０、タイマ５１、制御部５２、ＣＱＩ瞬時値測定部５３、フィードバック間隔設定部５４を具備する。
本発明の第２の実施形態による通信部５０、タイマ５１、制御部５２、ＣＱＩ瞬時値測定部５３、フィードバック間隔設定部５４は、第１の実施形態（図５）による通信部３０、タイマ３１、制御部３２、ＣＱＩ瞬時値測定部３３、フィードバック間隔設定部３４と同様の機能を有する。
【００６７】
第２の実施形態による移動局装置では、ＣＱＩ瞬時値測定部５３からフィードバック間隔設定部５４に対しＣＱＩ瞬時値が出力される。移動局装置ＭＳ１０は、フィードバック間隔設定部５４において、ギャップを生成するか否か、つまりギャップ要求メッセージを基地局装置ＢＳ１０に送信するか否かについて判定し、その判定結果を制御部５２に出力し、制御部５２において、判定結果がギャップ要求メッセージを送信するものであった場合、ギャップ要求メッセージを生成し、通信部５０を介して基地局装置ＢＳ１０にギャップ要求メッセージを送信する。
【００６８】
図１０は、本発明の第２の実施形態による移動局装置ＭＳ１０のフィードバック間隔設定部５４（図９）の構成を示すブロック図である。
フィードバック間隔設定部５４は、平均ＣＱＩ導出部６０、メモリ６１、閾値設定部６２、モード判定部６３、ギャップ要求判定部６４、フィードバック間隔選択部６５を具備している。
【００６９】
平均ＣＱＩ導出部６０は、図９のＣＱＩ瞬時値測定部５３から入力されるＣＱＩ瞬時値に基づいて、ＣＱＩ平均値を算出する。メモリ５１は、一定期間の間に入力された複数のＣＱＩ瞬時値（あるいはその平均値）を記憶する。閾値設定部６２は、基地局装置ＢＳ１０より通知されるＣＱＩ閾値情報に基づいてＣＱＩ閾値を設定する。
モード判定部６３は、平均ＣＱＩ導出部６０で算出されたＣＱＩ平均値と、閾値設定部６２で設定されたＣＱＩ閾値とから通常モードと測定モードとの切り替えの判定を行う。
ギャップ要求判定部６４は、モード判定部６３の判定結果と、ＣＱＩ瞬時値及びＣＱＩ平均値からギャップの要求を判定する。フィードバック間隔選択部６５は、基地局装置ＢＳ１０より通知されたギャップ指示メッセージを基にＣＱＩ瞬時値又はハンドオーバ候補の基地局装置の測定結果を基地局装置ＢＳ１０へフィードバックする間隔を選択する。
【００７０】
平均ＣＱＩ導出部６０では、測定したＣＱＩ瞬時値と、メモリ６１に記憶された過去の一定期間の間に測定したＣＱＩ瞬時値とを平均することによりＣＱＩ平均値を算出し、その算出したＣＱＩ平均値をモード判定部６３及びギャップ要求判定部６４に出力する。新たなＣＱＩ瞬時値はメモリ６１に記憶されるとともに、一定期間を経過したＣＱＩ瞬時値（平均値算出に寄与しない一定時間を経過したＣＱＩ瞬時値）はメモリ６１から消去される。閾値設定部６２では、基地局装置ＢＳ１０より送信されたＣＱＩ閾値をモード判定部６３に出力する。なお、ＣＱＩ閾値は、第１の実施形態による閾値記憶部２５に記憶される情報（図４（ａ）参照）とトラフィック負荷から選択される値と同じである。
【００７１】
モード判定部６３では、平均ＣＱＩ導出部６０から入力されたＣＱＩ平均値と、通常モードと測定モードとの切り替えを行うＣＱＩ閾値との比較を行い、ギャップ要求判定部６４に判定したモード情報を出力する。ギャップ要求判定部６４では、モード判定部６３の判定結果と、ＣＱＩ瞬時値及びＣＱＩ平均値からギャップ要求の判定を行い、ギャップ要求結果を図９の制御部５２に出力する。フィードバック間隔選択部６５では、選択したフィードバック間隔情報を図９の制御部５２を介して、図９のタイマ６１に出力する。
【００７２】
図１１は、本発明の第２の実施形態による移動通信システムの処理を示すシーケンス図である。ここでは、移動通信システムが、移動局装置ＭＳ１０、基地局装置ＢＳ１０、基地局装置ＢＳ１１の間で処理を行う場合について説明する。
図１１の処理を行う前提として、基地局装置ＢＳ１０の閾値記憶部２５には、図４（ａ）に示すような、トラフィック負荷（通信状態とも称する）が悪いほど小さいＣＱＩ閾値（受信品質の閾値とも称する）の情報が予め記録される。
【００７３】
始めに、基地局装置ＢＳ１１のトラフィック負荷測定部４５は、基地局装置ＢＳ１１のセル内に存在する複数の移動局装置と通信する際の負荷であるトラフィック負荷を測定する（ステップＳ８１）。
そして、基地局装置ＢＳ１１の制御部４３は、ステップＳ８１でトラフィック負荷測定部４５が測定したトラフィック負荷の情報を、通信部４０を介して、基地局装置ＢＳ１０に対して送信する（ステップＳ８２）。
なお、基地局装置ＢＳ１０は、ステップＳ８１とＳ８２の処理を、所定時間（例えば、１分）が経過するたびに繰り返し行う。なお、基地局装置ＢＳ１０は、所定時間が経過するたびにステップＳ８１とＳ８２の処理を繰り返し行うのではなく、トラフィック負荷測定部４５が測定するトラフィック負荷が、前回の測定時よりも所定の割合（例えば、１０％）だけ増加した場合に、ステップＳ８１とＳ８２の処理を行うようにしてもよい。なお、基地局装置ＢＳ１１は基地局装置ＢＳ１０がトラフィック負荷の測定を要求するメッセージを受信した場合に、ステップＳ８１とＳ８２の処理を行うようにしてもよい。
【００７４】
基地局装置ＢＳ１０の制御部４３（通信状態取得部とも称する）は、通信部４０を介して、基地局装置ＢＳ１０の周辺の基地局装置である基地局装置ＢＳ１１のトラフィック負荷の情報（通信状態とも称する）を取得する（ステップＳ７１）。
そして、基地局装置ＢＳ１０のリソース割り当て間隔設定部４４に含まれる閾値設定部（図示省略）は、ステップＳ７１で取得したトラフィック負荷に対応するＣＱＩ閾値を、リソース割り当て間隔設定部４４に含まれる閾値記憶部（図示省略）から読み出す（ステップＳ７２）。制御部４３（閾値通知部とも称する）は、ステップＳ７２で取得したＣＱＩ閾値を、通信部４０を介して、移動局装置ＭＳ１０に対して通知する（ステップＳ７３）。
【００７５】
移動局装置ＭＳ１０の制御部５２は、通信部５０を介して、ＣＱＩ閾値を取得する（ステップＳ５１）。
次に、移動局装置ＭＳ１０のＣＱＩ瞬時値測定部５３（受信品質測定部とも称する）は、基地局装置ＢＳ１０から送信される信号のＣＱＩ瞬時値（受信品質とも称する）を測定する（ステップＳ５２）。なお、瞬時受信品質を量子化したＣＱＩ瞬時値ではなく、瞬時受信品質を用いてもよい。
そして、移動局装置ＭＳ１０の平均ＣＱＩ導出部６０（受信品質平均値算出部とも称する）は、ステップＳ５２でＣＱＩ瞬時値測定部５３が測定したＣＱＩ瞬時値の所定の時間間隔における平均値を算出する（ステップＳ５３）。
【００７６】
そして、移動局装置ＭＳ１０のモード判定部６３（移動局装置ギャップモード決定部とも称する）は、移動局装置ＭＳ１０のＣＱＩ瞬時値測定部５３がステップＳ５２で測定したＣＱＩ瞬時値と、基地局装置ＢＳ１０からステップＳ５１で取得したＣＱＩ閾値とに基づいて、基地局装置ＢＳ１０との間の信号の送受信を停止する区間であるギャップを要求するかを判定する測定モードとするか、そのギャップを要求するかを判定しない通常モードとするかについて決定する（ステップＳ５４）。より具体的には、移動局装置ＭＳ１０のモード判定部６３は、平均ＣＱＩ導出部６０が算出したＣＱＩ平均値が、基地局装置ＢＳ１０から取得したＣＱＩ閾値より大きい場合には通常モードと決定し、小さい場合には測定モードと決定する。そして、移動局装置ＭＳ１０のフィードバック間隔設定部５４は、モード判定部６３が通常モードと決定したか測定モードと決定したかについて判定する（ステップＳ５５）。モード判定部６３が通常モードと決定した場合には、ギャップを要求するか否かの判定を行わず、ギャップ要求メッセージを送信しない（ステップＳ５９）一方、モード判定部６３が測定モードと決定した場合には、ギャップ要求の有無を決定する（ステップＳ５６）。より具体的には、移動局装置ＭＳ１０のギャップ要求判定部６４（移動局装置ギャップ要求部とも称する）は、ＣＱＩ瞬時値測定部５３が測定したＣＱＩ瞬時値が、平均ＣＱＩ導出部６０が算出したＣＱＩ平均値より大きい場合にはギャップ要求無しと決定し、小さい場合にはギャップ要求有りと決定する。次に、ギャップ要求判定部６４は、内部処理でギャップ要求無しと決定したかギャップ要求有りと決定したかについて判定する（ステップＳ５７）。ステップＳ５７において、ギャップ要求無しと決定した場合には、ギャップ要求メッセージを送信しない（ステップＳ５９）。一方、ステップＳ５７において、ギャップ要求有りと決定した場合には、移動局装置ＭＳ１０の制御部５２（ギャップ生成要求通知部とも称する）は、ギャップ要求メッセージを、基地局装置ＢＳ１０に送信する（ステップＳ５８）。
【００７７】
そして、基地局装置ＢＳ１０の制御部４３は、通信部４０を介して、ギャップ要求メッセージを受信する（ステップＳ７４）。基地局装置ＢＳ１０は、自局の通信状態などを考慮して、移動局装置ＭＳ１０にギャップを生成するか否かの判定を行う（ステップＳ７５）。ステップＳ７５において、ギャップ生成無しと決定した場合には、ギャップを生成しない（ステップＳ７８）。一方、ステップＳ７５において、ギャップ生成有りと決定した場合には、基地局装置ＢＳ１０の制御部４３（基地局装置ギャップ通知部とも称する）は、ギャップ指示メッセージを、移動局装置ＭＳ１０に送信する（ステップＳ７６）。そして、基地局装置ＢＳ１０のリソース割り当て間隔設定部４４は、ギャップを生成する（ステップＳ７７）。
【００７８】
一方、移動局装置ＭＳ１０の制御部５２は、通信部５０を介して、ステップＳ７６で基地局装置ＢＳ１０から送信されるギャップ指示メッセージを受信する（ステップＳ６０）。
そして、移動局装置ＭＳ１０のフィードバック間隔選択部６５（移動局装置ギャップ生成部とも称する）は、ギャップ指示メッセージを通知された場合に、ギャップを生成する（ステップＳ６１）。そして、移動局装置ＭＳ１０の制御部５２（測定部とも称する）は、フィードバック間隔選択部６５がギャップを生成している区間に、基地局装置ＢＳ１０の周辺の基地局装置ＢＳ１１の受信品質を測定する（ステップＳ６２）。なお、フィードバック間隔選択部６５は、基地局装置ＢＳ１０の制御部４３からギャップ指示メッセージを通知されない場合にはギャップを生成せず、基地局装置ＢＳ１０の周辺の基地局装置ＢＳ１１の受信品質を測定しない。
【００７９】
本発明の第２の実施形態では、第１の実施形態と同様の効果を得ることができる。つまり、基地局装置ＢＳ１０の周辺の基地局装置ＢＳ１１のトラフィック負荷が悪い場合（大きい場合）には、移動局装置ＭＳ１０がハンドオーバを行っても、リソースが割り当てられる可能性が低く、ハンドオーバ前の状況と余り変わらない可能性がある。そのような非効率なハンドオーバを避けるため、トラフィック負荷が悪い場合（大きい場合）には、モード判定部６３において用いるＣＱＩ閾値が小さくなり、モード判定部６３が測定モードと決定する区間が短くなるため、基地局装置ＢＳ１０が移動局装置ＭＳ１０に信号を送信する際におけるギャップの生成をハンドオーバが効率的な区間に生成されるように抑制することができ、基地局装置ＢＳ１０における処理を軽減することができる。また、移動局装置ＭＳ１０がハンドオーバのために他の基地局装置ＢＳ１１を測定することを抑制することができ、低消費電力化を図ることができる。また、ギャップ制御に関わる基地局装置ＢＳ１０と移動局装置ＭＳ１０のメッセージ（ギャップ指示メッセージ、周辺の基地局装置ＢＳ１１の受信品質の測定結果）のやりとりに用いる無線リソースを節約することができる。
【００８０】
なお、上述した第１及び第２の実施形態では、ギャップ指示メッセージ、ギャップ要求メッセージは、パケットデータを用いたＲＲＣシグナリングにより通知するが、ＰＨＹ（Physical Layer）シグナリング（ＭＡＣ（Media Access Control）シグナリングと言う場合もある）を用いて通知するようにしてもよい。パケットは、少なくともデータチャネルと制御チャネルによって構成される。一般的に、データチャネルを用いて制御情報を送信する方法はＲＲＣシグナリングを用いて送信するということであり、制御チャネルを用いて制御情報を送信する方法はＰＨＹシグナリングを用いて送信するということである。
【００８１】
なお、上述した第１及び第２の実施形態において、移動局装置ＭＳ１０に、基地局装置ＢＳ１０に対してＣＱＩ瞬時値とＣＱＩ平均値を用いた方法に準拠せずにギャップの生成を要求するギャップ生成要求部を設けるようにし、基地局装置ＢＳ１０の制御部４３は、ギャップ生成要求部からギャップの生成要求を受け付けた場合に移動局装置ＭＳ１０に信号を送信する際にギャップを生成するようにしてもよい。これにより、移動局装置ＭＳ１０のギャップ生成要求部が突発的な状況においてギャップの生成を要求した場合には、通常モードにあるときであっても、基地局装置ＢＳ１０から移動局装置ＭＳ１０に信号を送信する際に基地局装置ＢＳ１０の制御部４３がギャップを生成することができ、移動局装置ＭＳ１０は、周辺の基地局装置ＢＳ１１の通信状態が悪い場合であっても、ハンドオーバを行うための周辺の基地局装置ＢＳ１１の測定を行うことができる。また、同様に基地局装置ＢＳ１０が移動局装置ＭＳ１０に対してＣＱＩ瞬時値とＣＱＩ平均値を用いた方法に準拠せずにギャップの生成を指示するギャップ生成通知部を設けるようにしてもよい。これにより、基地局装置ＢＳ１０は突発的な状況において移動局装置ＭＳ１０にギャップを生成して、移動局装置ＭＳ１０はハンドオーバの測定を行い、基地局装置ＢＳ１０は移動局装置ＭＳ１０にハンドオーバを促すことができる。
【００８２】
なお、上述した第１及び第２の実施形態では、測定モードと通常モードの判定に用いる受信品質指標としてＣＱＩを用いているが、これに関連した指標であれば受信電力などの異なる指標を用いてもよい。
【００８３】
なお、図６や図１１のシーケンス図の説明では、トラフィック負荷の情報のやり取りを基地局装置ＢＳ１０と基地局装置ＢＳ１１との間で直接行う場合について説明したが、これに限定されるものではなく、基地局装置ＢＳ１０や基地局装置ＢＳ１１などの基地局装置を制御する基地局制御装置を介してトラフィック負荷の情報のやり取りを行ってもよい。
【００８４】
また、上述した第１の実施形態（又は第２の実施形態）では、基地局装置ＢＳ１０の制御部１３が、通信状態としてトラフィック負荷の情報を取得する場合について説明したが、通信状態として周辺の基地局装置ＢＳ１１が通信可能な領域であるセルｃ１１内に存在する移動局装置数を取得するようにしてもよい。なお、この場合には、基地局装置ＢＳ１０の閾値記憶部２５は、移動局装置数が多いほど小さいＣＱＩ閾値を予め記憶する。
このような構成とすることにより、周辺の基地局装置ＢＳ１１が通信可能な領域であるセルｃ１１内に存在する移動局装置数が多い場合には、閾値設定部２２（又は、閾値設定部６２）が閾値記憶部２５から読み出すＣＱＩ閾値が小さくなり、モード決定部２３（又は、モード決定部６３）が測定モードと決定する区間が短くなるため、移動局装置ＭＳ１０がハンドオーバのために他の基地局装置ＢＳ１１を測定することを抑制することができる。
【００８５】
なお、以上説明した実施形態において、図２の通信部１０、タイマ１１、制御部１３、リソース割り当て間隔設定部１４、トラフィック負荷測定部１５、図３の平均ＣＱＩ導出部２０、メモリ２１、閾値設定部２２、モード判定部２３、リソース割り当て間隔選択部２４、閾値記憶部２５、図５の通信部３０、タイマ３１、制御部３２、ＣＱＩ瞬時値測定部３３、フィードバック間隔設定部３４、図８の通信部４０、タイマ４１、制御部４３、リソース割り当て間隔設定部４４、トラフィック負荷測定部４５、図９の通信部５０、タイマ５１、制御部５２、ＣＱＩ瞬時値測定部５３、フィードバック間隔設定部５４、図１０の平均ＣＱＩ導出部６０、メモリ６１、閾値設定部６２、モード判定部６３、ギャップ要求判定部６４、フィードバック間隔選択部６５の機能又はこれらの機能の一部を実現するためのプログラムをコンピュータ読み取り可能な記録媒体に記録して、この記録媒体に記録されたプログラムをコンピュータシステムに読み込ませ、実行することにより基地局装置又は移動局装置の制御を行ってもよい。なお、ここでいう「コンピュータシステム」とは、ＯＳや周辺機器等のハードウェアを含むものとする。
【００８６】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００８７】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００８８】
【図１】本発明の第１及び第２の実施形態における移動通信システムの概略構成図である。
【図２】本発明の第１の実施形態による基地局装置ＢＳ１０（図１）の構成を示すブロック図である。
【図３】本発明の第１の実施形態による基地局装置ＢＳ１０のリソース割り当て間隔設定部１４（図２）の構成を示すブロック図である。
【図４】本発明の第１の実施形態による基地局装置ＢＳ１０の閾値記憶部２５（図３）が記憶する情報の一例を示す図である。
【図５】本発明の第１の実施形態による移動局装置ＭＳ１０（図１）の構成を示すブロック図である。
【図６】本発明の第１の実施形態による移動通信システムの処理を示すシーケンス図である。
【図７】本発明の第１の実施形態による移動通信システムを用いた場合の効果について説明するための図である。
【図８】本発明の第２の実施形態による基地局装置ＢＳ１０（図１）の構成を示すブロック図である。
【図９】本発明の第２の実施形態による移動局装置ＭＳ１０（図１）の構成を示すブロック図である。
【図１０】本発明の第２の実施形態による移動局装置ＭＳ１０のフィードバック間隔設定部５４（図９）の構成を示すブロック図である。
【図１１】本発明の第２の実施形態による移動通信システムの処理を示すシーケンス図である。
【図１２】移動局装置がセル間を移動する際のハンドオーバの処理について一般的に説明するための図である。
【図１３】Ｗ−ＣＤＭＡにてコンプレストモードが適用されて、異周波数を使用する基地局装置の測定が行われている場合の信号の状態について説明するための図などである。
【図１４】従来から提案されていたギャップ区間の制御方法の一例を説明するための図である。
【符号の説明】
【００８９】
１０・・・通信部、１１・・・タイマ、１３・・・制御部、１４・・・リソース割り当て間隔設定部、１５・・・トラフィック負荷測定部、２０・・・平均ＣＱＩ導出部、２１・・・メモリ、２２・・・閾値設定部、２３・・・モード判定部、２４・・・リソース割り当て間隔選択部、２５・・・閾値記憶部、３０・・・通信部、３１・・・タイマ、３２・・・制御部、３３・・・ＣＱＩ瞬時値測定部、３４・・・フィードバック間隔設定部、４０・・・通信部、４１・・・タイマ、４３・・・制御部、４４・・・リソース割り当て間隔設定部、４５・・・トラフィック負荷測定部、５０・・・通信部、５１・・・タイマ、５２・・・制御部、５３・・・ＣＱＩ瞬時値測定部、５４・・・フィードバック間隔設定部、６０・・・平均ＣＱＩ導出部、６１・・・メモリ、６２・・・閾値設定部、６３・・・モード判定部、６４・・・ギャップ要求判定部、６５・・・フィードバック間隔選択部、ＢＳ１０〜ＢＳ１６・・・基地局装置、ＭＳ１０〜ＭＳ１６・・・移動局装置
【図１】
2008205566.tif 000003
【図２】
2008205566.tif 000004
【図３】
2008205566.tif 000005
【図４】
2008205566.tif 000006
【図５】
2008205566.tif 000007
【図６】
2008205566.tif 000008
【図７】
2008205566.tif 000009
【図８】
2008205566.tif 000010
【図９】
2008205566.tif 000011
【図１０】
2008205566.tif 000012
【図１１】
2008205566.tif 000013
【図１２】
2008205566.tif 000014
【図１３】
2008205566.tif 000015
【図１４】
2008205566.tif 000016